(57)【要約】      （修正有）【課題】取り外しを容易に行うことができる被服カバーを提供する。【解決手段】被服カバー１は、肩部３と、肩部３の中央部に形成された首開口部４と、肩部３に連接された筒状の胴部５と、胴部５の下端部に形成された裾開口部６と、を備え、首開口部４から裾開口部６に向けて切離可能な１対の中央ミシン目７を有する。中央ミシン目７のピッチは、首開口部４側が、裾開口部６側に比べて細かく形成されている。中央ミシン目７は、首開口部４を中心に一対形成されている。【選択図】図１
0003209944.tif 000002
【実用新案登録請求の範囲】
【請求項１】
肩部と、
前記肩部の中央部に形成された首開口部と、
前記肩部に連接された筒状の胴部と、
前記胴部の下端部に形成された裾開口部と、
を備え、
前記首開口部から前記裾開口部に向けて切離可能な少なくとも１つの中央ミシン目を有する被服カバー。
【請求項２】
前記中央ミシン目のピッチは、前記首開口部側が、前記胴部及び前記裾開口部側に比べて細かく形成されている請求項１に記載の被服カバー。
【請求項３】
前記中央ミシン目は、前記首開口部を中心に少なくとも一対形成されている請求項１に記載の被服カバー。
【請求項４】
前記中央ミシン目は、前記裾開口部の手前までの長さを有する請求項１に記載の被服カバー。
【請求項５】
前記肩部には、ヒートシールが形成され、
前記首開口部の中央ミシン目は、前記ヒートシールに近接している請求項１に記載の被服カバー。
【請求項６】
前記肩部の側方には、前記ヒートシールとともに囲んで面積部分を形成する追加ヒートシールが設けられている請求項５に記載の被服カバー。
【請求項７】
請求項１から６のいずれかに記載の被服カバーが切離可能に接続された状態で巻き取られて形成されたロール。
【考案の詳細な説明】
【技術分野】
【０００１】
本考案は、洋服等の被服を保護するために覆う被服カバー及びそのロールに関するものである。
【背景技術】
【０００２】
洋服等の被服を保護するために覆う被服カバーにおいては、表裏面に貫通する横切込みを入れ、その横切込みの中間より底縁の方向に向かって表裏面に貫通する縦点線切込みを入れるものがある（例えば特許文献１参照）。特許文献１に記載の技術によれば、横切込みを使って外部からラベルの取付けを容易に行うことができ、流通運搬中に商品を内部に収容して汚れから守り、縦点線切込みを使って容易に袋を破断してスピーディーに商品の取り出しを行うことができる。
【０００３】
また、洋服等の被服を保護するために覆う被服カバーにおいては、左側縁と右側縁とに所要の間隔を離隔する開口端を有し、表裏面に貫通する横点線状破断部を入れ、その横点線状破断部の中間より底縁の方向に向かって表裏面に貫通する縦点線状破断部を連続又は中間を断続して入れたものがある（例えば特許文献２参照）。特許文献２に記載の技術によれば、内部に収容した被包装商品を流通運搬中の汚れから守り、包装後、被包装商品にラベル等の追加が生じた時にはその被包装商品を袋から取り出すことなく、外部からの取り付けが容易に行えるように一部を大きく開口することができ、最終運搬地では、袋体を容易に破断してスピーディーに商品の取り出しが行うことができる。
【先行技術文献】
【特許文献】
【０００４】
【特許文献１】実用新案登録第３１０５６２７号公報
【特許文献２】実用新案登録第３１１４６２７号公報
【考案の概要】
【考案が解決しようとする課題】
【０００５】
近年、被服を折り畳まずにハンガーに掛けた形態で納品される場合が多い。その理由は、折り畳んだ際に生じるしわを回避でき、また、陳列のために被服をハンガーに掛けるという作業が省略できるからである。
【０００６】
被服メーカーから送られてきた被服は被服カバーを被せて多数搬入される。そして作業者は、店舗においてそれらの被服カバーをそれぞれ外して陳列をすることになる。したがって、被服カバーを素早く取り外すことが要求される。
【０００７】
本考案は、このような事情に鑑みてなされたものであって、複数の取り外しを素早く行うことができる被服カバー及びそのロールを提供することを目的とする。
【課題を解決するための手段】
【０００８】
上記課題を解決するために、本考案の被服カバー及びそのロールは以下の手段を採用する。
すなわち、本考案に係る被服カバーは、肩部と、前記肩部の中央部に形成された首開口部と、前記肩部に連接された筒状の胴部と、前記胴部の下端部に形成された裾開口部と、を備え、前記首開口部から前記裾開口部に向けて切離可能な少なくとも１つの中央ミシン目を有する。
【０００９】
被服カバーは、作業員によって左右どちらかの方向あるいは下方向に引っ張られることにより中央ミシン目が切断されることにより展開されて落下する。これにより、被服カバーを素早く取り外すことができる。
また、被服カバーが複数の場合、それらが纏めて一度に引っ張られたとしても、複数の被服カバーは中央ミシン目からそれぞれ同時に切断されることにより展開されて落下する。したがって、陳列時の作業時間の大幅な削減を行うことができる。
【００１０】
さらに、本考案の被服カバーでは、前記中央ミシン目のピッチは、前記首開口部側が、前記胴部及び前記裾開口部側に比べて細かく形成されている。
【００１１】
ハンガーに掛けられた被服を覆っている被服カバーは、輸送時の振動等により外れるおそれがある。しかし、首開口部側の中央ミシン目のピッチが、胴部及び裾開口部側に比べて細かく形成されているために、首開口部側が胴部及び裾開口部側よりも切れにくくなって外れることがない。また、中央ミシン目は、胴部及び裾開口部側のピッチが首開口部側よりも荒く形成されているために、首開口部側よりも切れ易くなって取り外し作業の効率を向上させることができる。
【００１２】
さらに、本考案の被服カバーでは、前記中央ミシン目は、前記首開口部を中心に少なくとも一対形成されている。
【００１３】
中央ミシン目は、首開口部を中心に少なくとも一対形成されているために、作業員によって左右どちらかの方向から引っ張られたとしても切れ易くすることができる。
【００１４】
さらに、本考案の被服カバーでは、前記中央ミシン目は、前記裾開口部の手前までの長さを有する。
【００１５】
作業員によって引っ張られた被服カバーは、中央ミシン目を中心にして切断されることにより展開されていくが、中央ミシン目の裾開口部の手前部分は切断されない。それにより、廃棄物となった被服カバーが複数個にならずに単一として扱われ、廃棄が容易となる。
【００１６】
さらに、本考案の被服カバーでは、前記肩部には、ヒートシールが形成され、前記首開口部の中央ミシン目は、前記ヒートシールに近接している。
【００１７】
首開口部の中央ミシン目が肩部のヒートシールに近接しているために、ヒートシールを掴んで引っ張った場合に、首開口部の中央ミシン目から容易に切断することができる。
【００１８】
さらに、本考案の被服カバーでは、前記肩部の側方には、前記ヒートシールとともに囲んで面積部分を形成する追加ヒートシールが設けられている。
【００１９】
追加ヒートシールを設けてヒートシールとともに面積部分を形成することで、作業者が容易に掴むことができる部分を設けることができる。
【００２０】
また、本考案のロールは、上記のいずれかの被服カバーが切離可能に接続された状態で巻き取られて形成されている。
【００２１】
被服カバーは、切離可能に接続された状態で巻き取られて形成されたロールとして流通する。
【考案の効果】
【００２２】
複数の取り外しを容易に行うことができる被服カバー及びそのロールを提供することができる。
【図面の簡単な説明】
【００２３】
【図１】本考案の一実施形態に係る被服カバーの正面図である。
【図２】図１の被服カバーを製造するのに用いるロールの外観斜視図である。
【考案を実施するための形態】
【００２４】
以下、本考案の被服カバーに係る一実施形態について、図１を用いて説明する。
図１に示すように、被服カバー１は、カバー本体２と、肩部３と、首開口部４と、胴部５と、裾開口部６と、中央ミシン目７と、ヒートシール８と、を備える。
【００２５】
カバー本体２は、ポリエチレン（polyethylene：PE）製の袋状シートを用いて成形されており、若干の弾性を有する。カバー本体２は、透明または半透明であるために不図示のハンガーに掛けられた被服の形態を目視で確認することができる。
【００２６】
肩部３は、右肩９と左肩１０とを有する。肩部３には、肩ミシン目１１が形成されている。
【００２７】
肩部３の近傍には、ヒートシール８が肩ミシン目１１に近接して平行に形成されている。ヒートシール８は、カバー本体２の前部と後部とを熱溶着等の手段で接合したものである。
【００２８】
肩部３の両側部には、ヒートシール８から分岐して両側部に向かって上方に延在する追加ヒートシール８ａが設けられている。追加ヒートシール８ａとヒートシール８とによって囲まれた領域に、面積部分が形成される。作業者は、この面積部分を掴んで被服カバー１を引っ張ることができる。また、この面積部分に、ロゴや商標を印刷等しても良い。
【００２９】
首開口部４は、肩部３の中央部に孔形状に形成されている。首開口部４の開口長さは、被服の幅寸法よりも十分に小さく、被服が掛けられているハンガーに有するフックの外形よりも大きい。
【００３０】
胴部５は、筒形状に形成されて肩部３の下方に連接されている。胴部５の内径寸法は、被服の外形寸法よりもわずかに大きい。そのため、被服を柔らかく覆うことができる。胴部５の高さ寸法は、被服の全体を覆うことができるように被服の長さ寸法よりも大きくされている。
【００３１】
裾開口部６は、胴部５の下端部に形成されている。裾開口部６の内径寸法は、被服の外形寸法よりも大きい。
【００３２】
中央ミシン目７は、首開口部４から裾開口部６に向け、首開口部４を中心に互いに平行に２本形成されている。中央ミシン目７には、首開口部４側にピッチの細かい首開口部側ピッチ部１２と、胴部５及び裾開口部６側に首開口部側ピッチ部１２よりもピッチの荒い胴部側ピッチ部１３とが形成されている。中央ミシン目７は、首開口部４から裾開口部６の手前まで形成されている。そのため、カバー本体２は、裾開口部６の手間部分にミシン目のないミシン目非形成部１４を有する。
【００３３】
図２に示すように、このような被服カバー１は、切離可能に形成されていて、長手方向に連続して形成されたチューブ１０３が巻き取られたロール１００として提供される。チューブ１０３は、表裏面１０１，１０２を有し、その幅寸法が被服カバー１の幅寸法となる。
【００３４】
被服カバー１は、ロール１００からチューブ１０３を引き出しながら切離部１０４を介して切離されることにより単一に成形されて出荷される。
【００３５】
被服カバー１は、被服メーカーから送られてきた被服に被されて、例えば、移動ローラを有するブティックハンガー等に吊らされて多数搬入される。そして作業者は、店舗においてそれらの被服カバー１をそれぞれ外して陳列等をすることになる。
【００３６】
被服カバー１は、店舗までの移送中に、首開口部側ピッチ部１２が胴部側ピッチ部１３と比べて細かく形成されているために、首開口部側ピッチ部１２が胴部側ピッチ部１３よりも切れにくくなっている。したがって、搬送中等に首開口部側ピッチ部１２が切れて被服カバー１がハンガーから外れることがない。
【００３７】
複数の被服カバー１は、店舗に到着後、作業員によって左右どちらかの方向あるいは下方向に引っ張られることにより中央ミシン目７から切断されることにより展開されて纏めて落下する。中央ミシン目７は、胴部側ピッチ部１３が首開口部側ピッチ部１２よりも荒く形成されているために、胴部側ピッチ部１３が切れ易くなっており、取り外しが容易となっている。
【００３８】
被服カバー１の中央ミシン目７は、首開口部４を中心に２本形成されているために、作業員によって左右どちらかの方向から引っ張られたとしても切れ易い。作業員によって引っ張られた被服カバー１は、中央ミシン目７を中心にして切断されることにより展開されていくが、中央ミシン目７の裾開口部６の手前部分は切断されない。これにより、廃棄物となった被服カバー１は複数個とならず単一になるため、廃棄が容易となる。
【００３９】
被服カバー１は、作業員によって下方に引っ張られた場合、首開口部４の中央ミシン目７がヒートシール８に近接しているために、首開口部４の中央ミシン目７に力が加わり容易に切断できる。
【００４０】
ヒートシール８及び追加ヒートシール８ａによって形成された肩部３の両側方に面積部分のいずれか一方を掴むことで、作業者は容易に被服カバー１を引っ張ることができる。
【００４１】
以上説明した本実施形態に係る被服カバー１が奏する作用及び効果について説明する。
本実施形態の被服カバー１は、作業員によって左右どちらかの方向あるいは下方向に引っ張られることにより中央ミシン目７が切断されることにより展開されて落下する。このときに、左右のずれかの中央ミシン目７が切断されるので、容易に被服カバー１を取り外すことができる。
また、被服カバー１が複数の場合、それらが纏めて一度に引っ張られたとしても、複数の被服カバー１は中央ミシン目７からそれぞれ同時的に切断されることにより展開されて落下する。したがって、陳列時の作業時間の大幅な削減を行うことができる。
【００４２】
ハンガーに掛けられた被服を覆っている被服カバー１は、輸送時の振動等により外れるおそれがある。しかし、中央ミシン目７において首開口部側ピッチ部１２のピッチが、胴部５及び裾開口部６側における胴部側ピッチ部１３のピッチに比べて細かく形成されているために、首開口部４側が胴部５及び裾開口部６側よりも切れにくくなって外れることがない。また、中央ミシン目７は、胴部側ピッチ部１３のピッチが首開口部側ピッチ部１２のピッチよりも荒く形成されているために、首開口部４側よりも切れ易くなって取り外し作業の効率を向上させることができる。
【００４３】
被服カバー１は、首開口部４の中央ミシン目７がヒートシール８に近接しているために、ヒートシール８を掴んで引っ張った場合に、首開口部４の中央ミシン目７から容易に切断することができる。
【００４４】
肩部３の側方に、ヒートシール８とともに囲んで面積部分を形成する追加ヒートシール８ａを設けることとしたので、作業者は面積部分を容易に掴んで引っ張ることができる。
【符号の説明】
【００４５】
１  被服カバー
３  肩部
４  首開口部
５  胴部
６  裾開口部
７  中央ミシン目
８  ヒートシール
８ａ  追加ヒートシール
１００  ロール
【図１】
0003209944.tif 000003
【図２】
0003209944.tif 000004